(57)【要約】【課題】オーニングに照明を付加すると共にオーニングの周囲を照明しながらも虫が寄って来ないようにすることを可能とする。【解決手段】オーニング１にとってのベース部材であるベースパイプ１２と、オーニングキャンバス１６を支持する枠部材であるフロントバー１４と、ベースパイプ１２とフロントバー１４との間に介在するオーニングアーム１３を構成するアーム１３ａ，１３ｂとの下面にＬＥＤ灯２が取り付けられているようにした。【選択図】図１
2011122407.tif 000002
【特許請求の範囲】
【請求項１】
オーニングのベース部材と、オーニングキャンバスを支持する枠部材と、前記ベース部材と前記枠部材との間に介在するオーニングアームとの少なくとも一部にＬＥＤ灯が取り付けられていることを特徴とするＬＥＤ灯付オーニング。
【請求項２】
前記ＬＥＤ灯の発光スペクトル波長が４５０ｎｍ以上であることを特徴とする請求項１記載のＬＥＤ灯付オーニング。
【請求項３】
前記ＬＥＤ灯が着脱自在に構成されていることを特徴とする請求項１または２記載のＬＥＤ灯付オーニング。
【発明の詳細な説明】
【技術分野】
【０００１】
本発明は、ＬＥＤ灯付オーニングに関する。さらに詳述すると、本発明は、例えば店頭において日除けや雨除けなどのために用いられるオーニングに照明を付加する技術に関する。
【背景技術】
【０００２】
従来のオーニングとしては、例えば、図３に示すように、店舗等の外壁に離間して固定された左右一対の取付ブラケット１０１を介して固定されるアーム支持枠１０３と、基端がアーム支持枠１０３の左右両端近傍にアームブラケット１０７を介して回転自在に結合されると共に中間部に関節部材を有して水平方向に屈伸可能な左右一対のく形のリンク方式の関節アーム１０５，１０６と、左右一対のアーム１０６の先端に関節部在を介して回転自在に結合されて架け渡されるキャンバス支持前枠１０８と、アーム支持枠１０３の両端部に取り付けられたエンドブラケット１１１に対して回動自在に支持される巻取パイプ１１０と、一端側がキャンバス支持前枠１０８に取り付けられると共に他端側が巻取パイプ１１０に巻き回される日除け又は雨除けとなる合成繊維製布地のキャンバス１０９とを有するものがある（特許文献１）。
【先行技術文献】
【特許文献】
【０００３】
【特許文献１】特開２００６−３０７５７６号
【発明の概要】
【発明が解決しようとする課題】
【０００４】
しかしながら、特許文献１のオーニングでは、例えば街灯や店頭の看板などの照明をキャンバス１０９によって遮ることになってしまうので、キャンバス１０９の下側は暗くなってしまうという問題がある。
【０００５】
そして、特許文献１のオーニングにおいて、キャンバス１０９の下側が暗くなってしまうためにキャンバス１０９の下側で蛍光灯や白熱電球を点灯させるようにすると種々の虫が寄って来てしまうという問題がある。
【０００６】
そこで、本発明は、照明が付加されたオーニングを提供することを目的とし、さらに、オーニングの周囲を照明しながらも虫が寄って来ないようにすることができるＬＥＤ灯付オーニングを提供することを目的とする。
【課題を解決するための手段】
【０００７】
かかる目的を達成するため、請求項１記載のＬＥＤ灯付オーニングは、オーニングのベース部材と、オーニングキャンバスを支持する枠部材と、ベース部材と枠部材との間に介在するオーニングアームとの少なくとも一部にＬＥＤ灯が取り付けられているようにしている。
【０００８】
したがって、このＬＥＤ灯付オーニングによると、例えば夕暮方や夜間などにおいてもオーニングの視認性が向上する。そして、周りが暗い状況においても支障なく使用することができる。特に、オーニングの構成部材へのＬＥＤ灯の取り付け方によっては、オーニングキャンバス下の空間をＬＥＤ灯で取り囲むことも可能であり、照明によって囲われた光の空間を演出することができる。
【０００９】
また、このＬＥＤ灯付オーニングによると、照明器具としてＬＥＤを用いるようにしているので、すなわち従来の照明器具と比べて小型・軽量のＬＥＤを用いて照明機能を付加するようにしているので、オーニング自体の強度に与える影響が小さくて済み、従来のオーニングに単にＬＥＤ灯を装着することによって本発明が構成される。また、ＬＥＤは消費電力が小さいので、本発明を適用した例えば自立型のオーニングを野外で用いる場合でＬＥＤ灯の電源としてバッテリーを用いる場合でも、他の照明器具と比べて照明機能を長時間保つことができる。
【００１０】
また、このＬＥＤ灯付オーニングによると、従来の照明器具と比べて小型・軽量のＬＥＤを用いて照明機能を付加するようにしているので、オーニング自体のデザインに大きな影響を与えることなく照明が付加される。
【００１１】
また、請求項２記載の発明は、請求項１記載のＬＥＤ灯付オーニングにおいて、ＬＥＤ灯の発光スペクトル波長が４５０ｎｍ以上であるようにしている。この場合には、ＬＥＤ灯が昆虫類の視覚域から外れた光を発光するので、夕暮方や夜間にオーニングを用いる場合でＬＥＤ灯を点灯しても虫が寄ってくることがない。
【００１２】
また、請求項３記載の発明は、請求項１または２記載のＬＥＤ灯付オーニングにおいて、ＬＥＤ灯が着脱自在に構成されているようにしている。この場合には、必要な時・必要な箇所のみにＬＥＤ灯を取り付けると共に不要な場合には取り外すことができる。
【発明の効果】
【００１３】
請求項１記載のＬＥＤ灯付オーニングによれば、周りが暗い状況においても支障なく使用することができるので、オーニングの汎用性の向上が可能になる。また、照明によって囲われた光の空間を演出することができるので、オーニングの魅力の向上が可能になる。
【００１４】
また、請求項１記載のＬＥＤ灯付オーニングによれば、オーニング自体の強度に与える影響が小さくて済み、従来のオーニングに単にＬＥＤ灯を装着することによって本発明を構成することができるので、構成の達成が容易でオーニングに照明を付加する技術としての汎用性が高い。また、他の照明器具を用いる場合と比べて照明機能を長時間保つことができるので、オーニングに照明を付加する技術としての汎用性が高い。
【００１５】
また、請求項１記載のＬＥＤ灯付オーニングによれば、オーニング自体のデザインに大きな影響を与えることなく照明を付加することができるので、オーニングに照明を付加する技術としての汎用性が高い。
【００１６】
また、請求項２記載のＬＥＤ灯付オーニングによれば、夕暮方や夜間にオーニングを用いる場合でＬＥＤ灯を点灯しても虫が寄ってくることがなく虫除けの効果を発揮するので、オーニング利用の快適性の向上が可能になる。
【００１７】
また、請求項３記載のＬＥＤ灯付オーニングによれば、必要な時・必要な箇所のみにＬＥＤ灯を取り付けると共に不要な場合には取り外すことができるので、オーニングに照明を付加する技術としての汎用性が高い。
【図面の簡単な説明】
【００１８】
【図１】本発明のＬＥＤ灯付オーニングの実施形態の一例を示す底面図（下側視図）である。
【図２】本発明のＬＥＤ灯付オーニングの実施形態の一例を示す側面図である。
【図３】従来のオーニングを示す斜視図である。
【発明を実施するための形態】
【００１９】
以下、本発明の構成を図面に示す実施の形態の一例に基づいて詳細に説明する。
【００２０】
図１及び図２に、本発明のＬＥＤ灯付オーニングの実施形態の一例を示す。ここで、本実施形態では、本発明が適用されるオーニングとして図１及び図２に概略構造を示すオーニング１を例に挙げている。なお、本実施形態のオーニング１は本発明を説明するためのオーニングの一例に過ぎないものであり、また、オーニング１自体の構造はオーニングの構造として従来からよく知られているものと同様である。
【００２１】
本実施形態のオーニング１は、概略の構成として、例えば店舗の外壁に離間して配置され固定された左右一対のブラケット１１，１１と、これら一対のブラケット１１，１１に軸心方向両端部が支持されて固定されるベースパイプ１２と、一端（言い換えると基端）がベースパイプ１２の軸心方向端部近傍の位置に連結される左右一対のオーニングアーム１３，１３と、軸心方向両端寄りの位置にオーニングアーム１３，１３の先端が連結されて一対のオーニングアーム１３，１３の先端の間に架け渡されるフロントバー１４と、ベースパイプ１２の軸心方向両端部に取り付けられて前方斜め上方に張り出す巻取パイプ支持部材１５ａ，１５ａに軸回転可能に両端が支持される巻取パイプ１５と、基端側が巻取パイプ１５に巻装されると共に先端部がフロントバー１４に固着された可撓性を有する布若しくは合成樹脂で形成されたシート状のオーニングキャンバス１６とを有する。
【００２２】
オーニングアーム１３は、ベースパイプ１２側のアーム１３ａと、フロントバー１４側のアーム１３ｂとからなる。そして、アーム１３ａの基端は、揺動軸を有しベースパイプ１２の軸心方向端部近傍の位置に取り付けられたアーム支持部１３ｃを介してベースパイプ１２に対して水平方向に対し下り傾斜で揺動可能に連結される。また、アーム１３ａの先端とアーム１３ｂの一端とは、揺動軸を有する関節部材１３ｄを介して屈曲可能に連結される。さらに、アーム１３ｂの他端は、揺動軸を有しフロントバー１４の軸心方向両端寄りの位置に取り付けられたアーム連結部１３ｅを介してフロントバー１４に対して大凡水平方向に揺動可能に連結される。
【００２３】
以上の構成により、オーニング１は、アーム１３ａとアーム１３ｂとからなるオーニングアーム１３が伸展することによってフロントバー１４をベースパイプ１２から離れるように押し出してオーニングキャンバス１６を巻取パイプ１５から引き出して張り出させ（図１及び図２はこの状態を表す図である）、また、オーニングアーム１３を折り畳むことによってフロントバー１４をベースパイプ１２側に引き寄せてオーニングキャンバス１６を引き込ませる。なお、オーニングアーム１３を折り畳む際には同時にオーニングキャンバス１６が巻取パイプ１５に巻き取られる。
【００２４】
そして、本実施形態のオーニング１は、本実施形態のオーニング１にとってのベース部材であるベースパイプ１２と、オーニングキャンバス１６を支持する枠部材であるフロントバー１４と、ベースパイプ１２とフロントバー１４との間に介在するオーニングアーム１３を構成するアーム１３ａ，１３ｂとの下面にＬＥＤ灯２が取り付けられている。
【００２５】
なお、本発明におけるベース部材とは、オーニングにおいて、オーニングキャンバスの枠部材と連結するオーニングアームを支持する部材や、オーニングキャンバスを巻き取るための巻取パイプを支持する部材のことをいう。
【００２６】
ＬＥＤ灯２は、本実施形態では、細長の帯状の基台２ａと、当該基台２ａに長手方向一列に配置され固定された複数のＬＥＤ２ｂとを有する。なお、ＬＥＤ灯２は必要に応じて防水性や防錆性を有するように構成される。
【００２７】
本実施形態では、ＬＥＤ２ｂとして白色ＬＥＤが用いられる。なお、夕暮方や夜間においてＬＥＤ灯２を点灯しても虫が寄って来ないようにするためには４５０ｎｍ以上の発光スペクトル波長を有する発光体を用いると良いとされており、本実施形態では４５０ｎｍ以上の発光スペクトル波長を有する白色ＬＥＤが用いられる。なお付け加えると、白色ＬＥＤであれば紫外線を発光しないので虫が寄って来ないようにすることができる。一方、虫が寄って来ないようにする効果を必要としない場合には、４５０ｎｍ以上の発光スペクトル波長を有するＬＥＤに限らなくても良い。
【００２８】
ＬＥＤ灯２は、本実施形態では、各構成部材（具体的には、符号１２，１３ａ，１３ｂ，１４）の下面とＬＥＤ灯２裏面との間のＬＥＤ灯２長手方向両端位置に備えられる両面テープ２ｃによって各構成部材の下面に取り付けられる。なお、ＬＥＤ灯２は、各構成部材の内側面若しくは外側面に取り付けられるようにしても良いし、下面と内側面と外側面とのうちの二つ以上の面に取り付けられるようにしても良い。
【００２９】
また、ＬＥＤ灯２は、螺子によって固定されるようにしても良いし、或いは磁石によって取り付けられるようにしても良い。なお、螺子によって固定する場合も磁石によって取り付けるようにする場合もＬＥＤ灯２は着脱自在になり、磁石を用いる場合にはＬＥＤ灯２の着脱が特に容易になり、照明が必要な時のみ、必要な箇所のみにＬＥＤ灯２を取り付けて用いるようにすることができる。
【００３０】
また、ＬＥＤ灯２にはそれぞれ電源線３が接続されている。そして、本実施形態では、ＬＥＤ灯２が取り付けられているオーニング１の構成部材はそれぞれ揺動自在に連結されているものであるので、オーニング１の伸展や折り畳みの際に電源線３が構成部材の連結部に巻き込まれて破損しないようにするための構成を有する。
【００３１】
具体的には、フロントバー１４のオーニングアーム１３のアーム１３ｂが連結する箇所の下面には、フロントバー１４下面に取り付けられたＬＥＤ灯２の電源線３の方向を転換させてアーム１３ｂの方向に導いて連結部巻き込まれを防止するための電源線カバー４Ａが設けられる。なお、本実施形態では、電源線カバー４Ａによってアーム１３ｂに向けて導かれたフロントバー１４下面のＬＥＤ灯２の電源線３はアーム１３ｂ下面と当該下面に取り付けられたＬＥＤ灯２との間を這わせられる。
【００３２】
また、アーム１３ｂとアーム１３ａとが連結する箇所には、アーム１３ｂ下面に取り付けられたＬＥＤ灯２の電源線３並びに上述のフロントバー１４下面のＬＥＤ灯２の電源線３を覆う可撓性を有する管状のフリージョイント４Ｂが設けられる。そして、本実施形態では、フリージョイント４Ｂを通過したフロントバー１４下面のＬＥＤ灯２及びアーム１３ｂ下面のＬＥＤ灯２の電源線３はアーム１３ａ下面と当該下面に取り付けられたＬＥＤ灯２との間を這わせられる。
【００３３】
さらに、アーム１３ａとベースパイプ１２とが連結する箇所には、アーム１３ａ下面に取り付けられたＬＥＤ灯２の電源線３並びに上述のフロントバー１４下面のＬＥＤ灯２及びアーム１３ｂ下面のＬＥＤ灯２の電源線３を覆う可撓性を有する管状のフリージョイント４Ｃが設けられる。そして、本実施形態では、フリージョイント４Ｃを通過したこれら電源線３はベースパイプ１２下面と当該下面に取り付けられたＬＥＤ灯２との間を這わせられる。
【００３４】
そして、フロントバー１４下面及び左右一対のアーム１３ａ，１３ｂ下面及びベースパイプ１２下面のそれぞれに取り付けられているＬＥＤ灯２の電源線３は束ねられて電源線束３Ｔとして商用電源などに接続されて各ＬＥＤ灯２に対して電源が供給される。なお、電源線３は各構成部材の内部を通過させるようにしても良い。
【００３５】
以上の構成を有する本発明のＬＥＤ灯付オーニングによれば、周りが暗い状況においても支障なく使用することができるので、オーニングの汎用性の向上が可能になる。また、照明によって囲われた光の空間を演出することができるので、オーニングの魅力の向上が可能になる。また、夕暮方や夜間にオーニングを用いる場合でＬＥＤ灯を点灯しても虫が寄ってくることがないので、言い換えると、ＬＥＤ灯によってオーニング下面の周辺（縁辺）を囲むことによって虫が侵入しない空間を確保することができるので、オーニング利用の快適性を向上させることができる。
【００３６】
なお、上述の形態は本発明の好適な形態の一例ではあるがこれに限定されるものではなく、本発明の要旨を逸脱しない範囲において種々変形実施可能である。例えば、本実施形態では、本発明が適用されるオーニングとして図１及び図２に概略構造を示すオーニング１を例として挙げているが、本発明が適用され得るオーニングは本実施形態のオーニング１に限られるものではない。具体的には例えば、ベース部材（ベースパイプ１２）とオーニングアーム（符号１３）とオーニングキャンバスの枠部材（フロントバー１４）との結合が固定的であってオーニングキャンバスを張り出させたり引き込ませたりする動作をしない（言い換えると、開閉動作をしない）オーニングであっても良いし、オーニングキャンバスの巻取パイプを例えば二本の支柱で支持するような自立型のオーニングであっても良い。なお、自立型のオーニングの場合には、巻取パイプを支持したりオーニングアームと連結したりする支柱がベース部材に該当する。
【００３７】
また、本実施形態では、ベースパイプ１２とオーニングアーム１３のアーム１３ａ，１３ｂとフロントバー１４との全ての下面にＬＥＤ灯２が取り付けられるようにしているが、これに限られず、これらのうちの一部のみにＬＥＤ灯２が取り付けられるようにしても良い。
【符号の説明】
【００３８】
１  オーニング
２  ＬＥＤ灯
１２  ベース部材（ベースパイプ）
１３  オーニングアーム
１３ａ，１３ｂ  アーム
１４  枠部材（フロントバー）
１６  オーニングキャンバス
【図１】
2011122407.tif 000003
【図２】
2011122407.tif 000004
【図３】
2011122407.tif 000005